(57)【要約】【課題】ディスク媒体（例えば、ＣＤ）からデータ（例えば、音楽データ）を読み取って記憶媒体（例えば、メモリカード）に記録するまでの操作を簡単にする。【解決手段】ＣＰＵは、メモリカードから読み込んだ記録状態データに基づいてメモリカードに記録できるか否か判定し、更に他の条件も考慮してメモリカードへの記録を開始するための記録開始条件が成立するか否かを判定する（ステップＳＴ１、２）。ＣＰＵがメモリカードへの記録を開始するための記録開始条件が成立すると判定すると（ステップＳＴ２；Ｙｅｓ）、ＣＤユニットのＣＤトレイをオープンする（ステップＳＴ３）。オープン／クローズキー等の操作キーが押下されると、ＣＰＵは、ＣＤユニットのＣＤトレイを閉め、操作キーに応じてＣＤから音楽データを読み込む（ステップＳＴ４）。【選択図】図２
2009176350.tif 000002
【特許請求の範囲】
【請求項１】
ディスク媒体からデータを読み込み、当該データを記憶媒体に記録する記録装置であって、
ディスク媒体が装着されるディスク媒体装着部と、
記憶媒体が接続される接続部と、
前記接続部に接続された前記記憶媒体の記録状態を読み出し、当該記録状態に基づいて当該記憶媒体に記録可能か否かを判定する記録状態判定手段と、
前記記録状態判定手段の判定結果も用いて、前記記憶媒体に記録を開始する条件が成立するか否かを判定する記録開始条件判定手段と
を有し、
前記記録開始条件判定手段が、前記記録を開始する条件は成立すると判定した場合に、前記ディスク媒体装着部が前記ディスク媒体を装着できるように動作することを特徴とする記録装置。
【請求項２】
前記ディスク媒体装着部が、ディスクを装着するトレイを含み、
前記記録開始条件判定手段が、前記記録を開始する条件は成立すると判定した場合に、前記ディスク媒体装着部が、前記トレイをオープンし、ディスクを装着できるように動作することを特徴とする請求項１記載の記録装置。
【請求項３】
前記記録開始条件判定手段は、記憶媒体が前記接続部に接続された際に、記録を開始する条件が成立するか否かを判定することを特徴とする請求項１または請求項２に記載の記録装置。
【請求項４】
操作を指示する操作指示情報が入力される入力部と、
記憶媒体に記録されるデータを出力する、前記ディスク媒体装着部とは異なる出力部と、
操作指示情報に応じて、前記ディスク媒体装着部または前記出力部を選択する選択部と
を有し、
前記記録開始条件判定手段が、前記選択部に前記ディスク媒体装着部を選択させる操作指示情報が入力されており、かつ、前記記録状態判定手段の判定結果が記憶媒体に記録可能であり、かつ、前記ディスク媒体装着部にディスク媒体が装着されていない場合に、記録を開始する条件は成立すると判定する
ことを特徴とする請求項３に記載の記録装置。
【請求項５】
操作を指示する操作指示情報が入力される入力部を有し、
前記記録開始条件判定手段は、ディスク媒体から記憶媒体にデータを転送する操作指示情報が前記入力部に入力され、かつ、前記接続部に記憶媒体が接続されている場合に、記録を開始する条件が成立するか否かを判定する
ことを特徴とする請求項1または請求項２に記載の記録装置。
【請求項６】
操作を指示する操作指示情報が入力される入力部と、
前記記録開始条件判定手段が、記録を開始する条件は成立すると判定し、かつ、前記トレイを閉める操作指示情報が前記入力部に入力された場合に、前記トレイを閉め、前記ディスク媒体からデータを読み込むデータ読込手段と
を有することを特徴とする請求項２に記載の記録装置。
【請求項７】
ディスク媒体が装着されるディスク媒体装着部と、記憶媒体が接続される接続部とを含む記録装置における記録方法であって、
前記接続部に接続された前記記憶媒体の記録状態を読み出し、当該記録状態に基づいて当該記憶媒体に記録可能か否かを判定する記録状態判定工程と、
前記録状態判定工程の判定結果も用いて、前記記憶媒体に記録を開始する条件が成立するか否かを判定する記録開始条件判定工程と、
前記記録開始条件判定工程において、前記記録を開始する条件は成立すると判定された場合に、前記ディスク媒体装着部が前記ディスク媒体を装着できる状態に動作するディスク媒体装着部動作工程と
を有することを特徴とする記録方法。
【請求項８】
ディスク媒体が装着されるディスク媒体装着部と、記憶媒体が接続される接続部とを備えるコンピュータに、
前記接続部に接続された前記記憶媒体の記録状態を読み出し、当該記録状態に基づいて当該記憶媒体に記録可能か否かを判定する記録状態判定手順と、
前記記録状態判定手順の判定結果も用いて、前記記憶媒体に記録を開始する条件が成立するか否かを判定する記録開始条件判定手順と、
前記記録開始条件判定工程において、前記記録を開始する条件は成立すると判定された場合に、前記ディスク媒体装着部が前記ディスク媒体を装着できる状態に動作するディスク媒体装着部動作手順と
を実行させるための記録プログラム。
【発明の詳細な説明】
【技術分野】
【０００１】
本発明は、記録装置、記録方法および記録プログラムに関する。特に、ディスク媒体から音楽データや映像データを読み込み、着脱可能な記憶媒体に記録する記録装置、記録方法および記録プログラムに関する。
【背景技術】
【０００２】
ＣＤ（Ｃｏｍｐａｃｔ  Ｄｉｓｃ）を再生して得られる音楽データ（音声データを含む。）をＭＤ（ＭｉｎｉＤｉｓｃ）に録音することのできる録音再生装置が知られている（例えば、特許文献１参照）。
【０００３】
また、映像データを記録・再生できるディスク媒体として、例えば、ＤＶＤ（Ｄｉｇｉｔａｌ  Ｖｅｒｓａｔｉｌｅ  ＤｉｓｃまたはＤｉｇｉｔａｌ  Ｖｉｄｅｏ  Ｄｉｓｃ）、ＨＤ−ＤＶＤ（Ｈｉｇｈ  Ｄｅｆｉｎｉｔｉｏｎ  ＤＶＤ）やブルーレイディスク（Ｂｌｕ−ｒａｙ  Ｄｉｓｃ）がある。
【０００４】
ＳＤメモリカード、ＵＳＢ（Ｕｎｉｖｅｒｓａｌ  Ｓｅｒｉａｌ  Ｂｕｓ）メモリ、メモリスティック（商標）等のメモリカードや着脱可能なハードディスクに音楽データや映像データを記録することも可能である。
【０００５】
【特許文献１】特開２００２−１００１０７号公報
【発明の開示】
【発明が解決しようとする課題】
【０００６】
ＣＤ等のディスク媒体から、そのディスク媒体に記録されている音楽データや映像データのようなデータを読み取って、メモリカード等の着脱可能な記憶媒体（以下、記憶媒体という。）に記録するための操作は複雑である。
【０００７】
利用者は、まず記憶媒体の残り記憶容量や記憶媒体に存在するフォルダの書き込み許可等を調べて記録可能か否かチェックする。
次に、ディスクユニットのオープン／クローズキーを押してディスクユニットのトレイをオープンさせてディスク媒体を装着する。その後、再度オープン／クローズキーを押してディスクユニットのトレイを閉める。
更に、音楽を録音する場合には、録音したい曲等の選択キーを押して、録音する曲を選択した後、録音キーを押して録音を開始する。
【０００８】
そこで、ディスク媒体からデータを読み込み、記憶媒体に記録するまでの操作手順が簡単な記録装置、記録方法および記録プログラムが要望されている。
【課題を解決するための手段】
【０００９】
本発明の記録装置は、ディスク媒体からデータを読み込み、当該データを記憶媒体に記録する記録装置であって、
ディスク媒体が装着されるディスク媒体装着部と、
記憶媒体が接続される接続部と、
前記接続部に接続された前記記憶媒体の記録状態を読み出し、当該記録状態に基づいて当該記憶媒体に記録可能か否かを判定する記録状態判定手段と、
前記記録状態判定手段の判定結果も用いて、前記記憶媒体に記録を開始する条件が成立するか否かを判定する記録開始条件判定手段と
を有し、
前記記録開始条件判定手段が、前記記録を開始する条件は成立すると判定した場合に、前記ディスク媒体装着部が前記ディスク媒体を装着できるように動作することを特徴とする。
【００１０】
好ましくは、本発明の記録装置は、前記ディスク媒体装着部が、ディスクを装着するトレイを含み、
前記記録開始条件判定手段が、前記記録を開始する条件は成立すると判定した場合に、前記ディスク媒体装着部が、前記トレイをオープンし、ディスクを装着できるように動作することを特徴とする。
【００１１】
好ましくは、本発明の記録装置は、前記記録開始条件判定手段は、記憶媒体が前記接続部に接続された際に、記録を開始する条件が成立するか否かを判定することを特徴とする。
【００１２】
好ましくは、本発明の記録装置は、操作を指示する操作指示情報が入力される入力部と、
記憶媒体に記録されるデータを出力する、前記ディスク媒体装着部とは異なる出力部と、
操作指示情報に応じて、前記ディスク媒体装着部または前記出力部を選択する選択部と
を有し、
前記記録開始条件判定手段が、前記選択部に前記ディスク媒体装着部を選択させる操作指示情報が入力されており、かつ、前記記録状態判定手段の判定結果が記憶媒体に記録可能であり、かつ、前記ディスク媒体装着部にディスク媒体が装着されていない場合に、記録を開始する条件は成立すると判定する
ことを特徴とする。
【００１３】
好ましくは、本発明の記録装置は、操作を指示する操作指示情報が入力される入力部を有し、
前記記録開始条件判定手段は、ディスク媒体から記憶媒体にデータを転送する操作指示情報が前記入力部に入力され、かつ、前記接続部に記憶媒体が接続されている場合に、記録を開始する条件が成立するか否かを判定する
ことを特徴とする。
【００１４】
好ましくは、本発明の記録装置は、操作を指示する操作指示情報が入力される入力部と、
前記記録開始条件判定手段が、記録を開始する条件は成立すると判定し、かつ、前記トレイを閉める操作指示情報が前記入力部に入力された場合に、前記トレイを閉め、前記ディスク媒体からデータを読み込むデータ読込手段と
を有する。
【００１５】
また、本発明の記録方法は、ディスク媒体が装着されるディスク媒体装着部と、記憶媒体が接続される接続部とを含む記録装置における記録方法であって、
前記接続部に接続された前記記憶媒体の記録状態を読み出し、当該記録状態に基づいて当該記憶媒体に記録可能か否かを判定する記録状態判定工程と、
前記録状態判定工程の判定結果も用いて、前記記憶媒体に記録を開始する条件が成立するか否かを判定する記録開始条件判定工程と、
前記記録開始条件判定工程において、前記記録を開始する条件は成立すると判定された場合に、前記ディスク媒体装着部が前記ディスク媒体を装着できる状態に動作するディスク媒体装着部動作工程と
を有する。
【００１６】
また、本発明の記録プログラムは、ディスク媒体が装着されるディスク媒体装着部と、記憶媒体が接続される接続部とを備えるコンピュータに、
前記接続部に接続された前記記憶媒体の記録状態を読み出し、当該記録状態に基づいて当該記憶媒体に記録可能か否かを判定する記録状態判定手順と、
前記記録状態判定手順の判定結果も用いて、前記記憶媒体に記録を開始する条件が成立するか否かを判定する記録開始条件判定手順と、
前記記録開始条件判定工程において、前記記録を開始する条件は成立すると判定された場合に、前記ディスク媒体装着部が前記ディスク媒体を装着できる状態に動作するディスク媒体装着部動作手順と
を実行させる。
【発明の効果】
【００１７】
本発明によれば、ディスク媒体からデータを読み込み、記憶媒体に記録するまでの操作手順を簡単にすることができる。
【発明を実施するための最良の形態】
【００１８】
以下、本発明の実施の形態に係る記録装置について説明する。本発明の実施の形態に係る記録装置１は、図１に示すように、ＣＤユニット２１と、メモリカードスロット３１と、入力部４１と、表示部４２と、制御部５と、ＤＳＰ（Ｄｉｇｉｔａｌ  Ｓｉｇｎａｌ  Ｐｒｏｃｅｓｓｏｒ）６と、入力セレクタ７と、出力部８と、ＡＤＣ（Ａｎａｌｏｇ−Ｄｉｇｉｔａｌ  Ｃｏｎｖｅｒｔｅｒ）９とを有している。
【００１９】
記録装置１は、ＣＤユニット２１に装着されたＣＤ２３から音楽データを再生し、メモリカードスロット３１に装着されたメモリカード３２に記録するものである。
【００２０】
ＣＤユニット２１は、ＣＤトレイ２２を有する。ＣＤトレイ２２は、通常はＣＤユニット２１の中に引き込まれている。例えば、後述する入力部４１のオープン／クローズキーが押下されると、ＣＤトレイ２２はＣＤユニット２１から引き出される。
ＣＤトレイ２２がＣＤユニット２１から引き出されると、ＣＤ２３を装着可能な状態となり、ＣＤ２３をＣＤトレイ２２に装着することができる。
例えば、再度オープン／クローズキーが押下されると、ＣＤトレイ２２はＣＤユニット２１に引き込まれる。ＣＤトレイ２２がＣＤユニット２１に引き込まれ、ＣＤ２３を着脱できない状態で、ＣＤ２３に記録されている音楽データが再生される。
以下、ＣＤトレイ２２をＣＤユニット２１から引き出す操作を、「ＣＤトレイ２２をオープンする」という。逆に、ＣＤトレイ２２をＣＤユニット２１に引き込む操作を、「ＣＤトレイ２２を閉める」という。
【００２１】
メモリカードスロット３１は、例えば、メモリカード３２が装着されると、メモリカード３２からこのメモリカード３２に音楽データを記録できるか否かを判定するために記録状態データを読み込む。
なお、記録状態データとは、例えば、音楽データを記録するためのフォルダの有無を示すデータ、存在するフォルダの容量を示すデータ、フォルダに記録されている音楽データの有無を示すデータおよびメモリカード３２へ記録が許可されているか否かを示すデータである。
【００２２】
入力部４１は、操作キーを有しており、操作キーを押下することによって利用者の操作が入力される。例えば、ＣＤトレイ２２をオープンし、または閉める操作を行うためのオープン／クローズキー、ＣＤ２３に記録されている音楽データの再生を行うためのＣＤプレイキー、ＣＤ２３に複数の音楽データが記録されている場合に再生する音楽データを選択するための数字キー、入力セレクタ７にＣＤユニット２１またはＡＤＣ９のいずれを選択するかを指示するための選択キー、メモリカード３２への記録を開始させるための録音キー、およびＣＤ２３に記録されている音楽データをメモリカード３２に転送することを指示するための転送キーを有している。
【００２３】
表示部４２は、ディスプレイを有しており、例えば、ＣＤ２３に記録されている音楽データの内容や、メモリカード３２の記録状態データを表示する。
【００２４】
制御部５は、図示しないＣＰＵ（Ｃｅｎｔｒａｌ  Ｐｒｏｃｅｓｓｉｎｇ  Ｕｎｉｔ）と、図示しないメモリを含むプログラマブルなプロセサである。メモリは、例えば、ＲＯＭ（Ｒｅａｄ  Ｏｎｌｙ  Ｍｅｍｏｒｙ）やＲＡＭ（Ｒａｍｄｏｍ  Ａｃｃｅｓｓ  Ｍｅｍｏｒｙ）である。制御部５のＣＰＵは、メモリに記憶されているプログラムによって、記録状態判別手段と、記録開始条件判定手段と、データ読込手段を実現する。
【００２５】
記録状態判別手段は、後述するように、メモリカード３２の記録状態データを読み出し、メモリカード３２に音楽データを記録できるか否かを判定する。記録開始条件判定手段は、この判定に基づいて、メモリカード３２に記録を開始する条件が成立するか否かを判定する。記録開始条件判定手段が、メモリカード３２に記録を開始する条件は成立すると判定した場合に、制御信号ｃ２１をＣＤユニット２１に送ってＣＤトレイ２２をオープンする。
メモリカード３２に音楽データを記録できるか否か判定するための記録状態データは、後述するＤＳＰ６が読み取り、制御信号ｃ６によって制御部５に送る。ただし、制御部５のＣＰＵが直接メモリカードスロット３１にアクセスしてメモリカード３２の記録状態データを読み込む構成としても良い。
【００２６】
データ読込手段は、後述するように、記録開始条件判定手段が、記録を開始する条件は成立すると判定し、かつ、オープン／クローズキー、ＣＤプレイキー、または数字キーが押下されると、ＣＤトレイ２２を閉める。データ読込手段は、ＣＤトレイ２２が閉まったことがＣＤユニット２１から通知されると、押下された操作キーに応じて制御信号ｃ２１を送り、ＣＤユニット２１を制御してＣＤ２３から音楽データを読み込む。
【００２７】
ＤＳＰ６は、図示しない乗算器、図示しない加算器および図示しないＲＯＭやＲＡＭのようなメモリを含む。ＤＳＰ６は、デジタル信号処理機能が強化されたプログラマブルなプロセサである。
ＤＳＰ６は、メモリカード３２の記録状態データを読み取り、その記録状態データを制御信号ｃ６によって制御部５に送る。
また、ＣＤユニット２１から後述する入力セレクタ７を介して送信される音楽データをメモリカード３２に記録する。
【００２８】
ＤＳＰ６は、メモリに記憶されているプログラムを実行し、エンコーダとデコーダとして動作する。ＤＳＰ６は、後述するように、ＣＤ２３から読み込まれた音楽データの符号化条件をチェックし、メモリカード３２に記録する音楽データの符号化条件と異なる場合、ＣＤ２３から読み込まれた音楽データを復号し、復号された音楽データをメモリカード３２に記録する音楽データの符号化条件で符号化する。
【００２９】
入力セレクタ７は、選択キーの指示に応じて複数の入力先から一つを選択し、選択された入力先の出力するデータをＤＳＰ６に送る。例えば、ＣＤユニット２１の出力とＡＤＣ９の出力のうち、いずれかを選択し、ＤＳＰ６に送る。
【００３０】
出力部８は、ＤＡＣ（Ｄｉｇｉｔａｌ−Ａｎａｌｏｇ  Ｃｏｎｖｅｒｔｅｒ）８１と、アンプ８２と、スピーカ８３を含む。ＤＡＣ８１は、ＤＳＰ６が復号した音楽データをデジタル信号からアナログ信号に変換する。アンプ８２は、ＤＡＣ８１が出力するアナログ信号を増幅する。スピーカ８３は、増幅されたアナログ信号を音楽として出力する。
なお、ＣＤ２３に記録された音楽データをメモリカード３２に記録するとき、必ずしもスピーカ８３から音楽を出力する必要はない。例えば、ＣＤ２３の音楽データを高速にメモリカード３２に記録するときにはスピーカ８３から音楽を流しても耳障りである。この場合には、出力部８をオフにして、音楽を出力しないようにしても良い。
【００３１】
ＡＤＣ９は、アナログ信号で入力される音声や音楽をデジタル信号に変換する。
【００３２】
なお、ＣＤ２３は本発明のディスク媒体の一例であり、ＣＤユニット２１は本発明のディスク媒体装着部の一例であり、メモリカード３２は本発明の記録媒体の一例であり、メモリカードスロット３１は本発明の接続部の一例であり、入力部４１は本発明の入力部の一例であり、ＡＤＣ９は本発明の出力部の一例であり、入力セレクタ７は本発明の選択部の一例である。
また、選択キーによって入力セレクタ７にＣＤユニット２１を選択するように指示することは、本発明における選択部にディスク媒体装着部を選択させる操作指示情報を入力することの一例である。
【００３３】
以下、図２〜図９のフローチャートを参照して、記録装置１の動作について詳細に説明する。なお、図２〜図９のフローチャートにおいて、符号が同一のステップは処理内容が同じであることを示す。
【００３４】
図２は、本発明の実施の形態に係る記録方法の一例を示すフローチャートの図である。図１の記録装置は、図２に示す記録方法を実現する。
【００３５】
図２のステップＳＴ１とステップＳＴ２は、記録開始条件判定手段の実現する処理の内容を示す。
【００３６】
メモリカードスロット３１は、メモリカード３２に記録可能か否かを判定するための記録状態データをメモリカード３２から読み込む（ステップＳＴ１）。
【００３７】
図３に詳細を示すように、ステップＳＴ１では、メモリカードスロット３１は２つの場合に記録状態データをメモリカード３２から読み込む（ステップＳＴ１４）。
まず、メモリカードスロット３１にメモリカード３２が装着された場合である（ステップＳＴ１１；Ｙｅｓ）。すなわち、メモリカードスロット３１は、メモリカード３２が装着された瞬間を検出して記録状態データを読み込む（ステップＳＴ１４）。
次に、ＣＤ２３に記録されている音楽データをメモリカード３２に転送することを指示する入力部４１の転送キーが押下された場合である（ステップＳＴ１２；Ｙｅｓ）。入力部４１の転送キーが押下されると、制御部５のＣＰＵは、メモリカードスロット３１にメモリカード３２が装着されているか否かを確認し、装着されている場合（ステップＳＴ１３；Ｙｅｓ）、記録状態データをメモリカード３２から読み込む（ステップＳＴ１４）。
【００３８】
転送キーが押下されない場合（ステップＳＴ１２；Ｎｏ）および転送キーは押下されたが、メモリカードスロット３１にメモリカード３２が装着されていない場合（ステップＳＴ１２；Ｙｅｓ、ステップＳＴ１３；Ｎｏ）には、制御部５のＣＰＵはステップＳＴ１を繰り返す。このとき、記録装置１は待機状態になる。
【００３９】
記録状態データが読み込まれると、図２に示すように、制御部５のＣＰＵは、記録状態データに基づいてメモリカード３２に記録できるか否か判定し、更に他の条件も考慮してメモリカード３２への記録を開始することが可能か否か判定する（ステップＳＴ２）。記録を開始することが可能な場合には、ＣＤユニット２１は装着可能な状態に変化する。すなわち、ＣＤユニット２１はＣＤトレイ２２をオープンする（ステップＳＴ２；Ｙｅｓ）。
【００４０】
図４と図５は、ステップＳＴ２の２通りの実施形態を示す。
【００４１】
一つの実施形態では、図４に示すように、制御部５のＣＰＵは、入力セレクタ７が入力先としてＣＤユニット２１を選択しており（ステップＳＴ２１；Ｙｅｓ）、かつ、後述するように、記録状態データに基づいてメモリカード３２に記録可能と判定し（ステップＳＴ２２；Ｙｅｓ）、かつ、ＣＤユニット２１にＣＤ２３が装着されていない（ステップＳＴ２３；Ｎｏ）場合に、メモリカード３２への記録を開始できると判定する（ステップＳＴ２；Ｙｅｓ）。
【００４２】
一方、制御部５のＣＰＵは、入力セレクタ７が入力先としてＣＤユニット２１以外、例えばＡＤＣ９を選択している（ステップＳＴ２１；Ｎｏ）か、または、記録状態データに基づいてメモリカード３２に記録できないと判定する（ステップＳＴ２２；Ｎｏ）か、または、ＣＤユニット２１にＣＤ２３が装填されている（ステップＳＴ２３；Ｙｅｓ）場合には、メモリカード３２への記録を開始できないと判定する（ステップＳＴ２；Ｎｏ）。この場合、制御部５のＣＰＵはメモリカード３２への記録を中止し、例えば、表示部４２にメモリカード３２に記録されているデータの内容を表示する。
【００４３】
別の実施形態では、図５に示すように、制御部５のＣＰＵは、入力セレクタ７が入力先としてＣＤユニット２１以外を選択している（ステップＳＴ２１；Ｎｏ）場合には、入力セレクタ７の入力先をＣＤユニット２１に切り換える（ステップＳＴ２４）。そして、制御部５のＣＰＵは、後述するように、記録状態データに基づいてメモリカード３２に記録可能と判定し（ステップＳＴ２２；Ｙｅｓ）、かつ、ＣＤユニット２１にＣＤ２３が装填されていない（ステップＳＴ２３；Ｎｏ）場合に、メモリカード３２への記録を開始できると判定する（ステップＳＴ２；Ｙｅｓ）。
一方、制御部５のＣＰＵは、記録状態データに基づいてメモリカード３２に記録できないと判定する（ステップＳＴ２２；Ｎｏ）か、または、ＣＤユニット２１にＣＤ２３が装填されている（ステップＳＴ２３；Ｙｅｓ）場合には、メモリカード３２への記録を開始できないと判定する（ステップＳＴ２；Ｎｏ）。
【００４４】
上述した通り、ステップＳＴ２２では、記録状態データに基づいてメモリカード３２に記録可能か否か判定する。ステップＳＴ２２は、記録状態判別手段の実現する処理の内容を示す。
図６と図７は、ステップＳＴ２２の２通りの実施形態を示す。
【００４５】
一つの実施形態では、図６に示すように、制御部５のＣＰＵは、メモリカード３２にデータを記録するためのフォルダが存在せず（ステップＳＴ２２１；Ｎｏ）、かつ、メモリカード３２への記録が許可されている（ステップＳＴ２２４；Ｙｅｓ）場合に、記録状態データに基づいてメモリカード３２に記録すると判定する（ステップＳＴ２２；Ｙｅｓ）。
一方、メモリカード３２にデータを記録するためのフォルダが存在するか（ステップＳＴ２２１；Ｙｅｓ）、または、メモリカード３２への記録が許可されていない（ステップＳＴ２２４；Ｎｏ）場合に、記録状態データに基づいてメモリカード３２には記録しないと判定する（ステップＳＴ２２；Ｎｏ）。この場合、他の条件を考慮するまでもなく、制御部５のＣＰＵはメモリカード３２への記録を中止する。
【００４６】
別の実施形態も、図７に示すように、制御部５のＣＰＵが、メモリカード３２にデータを記録するためのフォルダが存在せず（ステップＳＴ２２１；Ｎｏ）、かつ、メモリカード３２への記録が許可されている（ステップＳＴ２２４；Ｙｅｓ）場合に、記録状態データに基づいてメモリカード３２に記録すると判定する（ステップＳＴ２２；Ｙｅｓ）点では図６の実施形態と同一である。
図７の実施形態では、制御部５のＣＰＵは、メモリカード３２にデータを記録するためのフォルダが存在する場合であっても（ステップＳＴ２２１；Ｙｅｓ）、そのフォルダにデータを記憶するために十分な空き容量が存在し（ステップＳＴ２２２；Ｙｅｓ）、かつ、そのフォルダの中に音楽データが存在せず（ステップＳＴ２２３；Ｎｏ）、かつ、メモリカード３２への記録が許可されている（ステップＳＴ２２４；Ｙｅｓ）場合には、記録状態データに基づいてメモリカード３２に記録すると判定する（ステップＳＴ２２；Ｙｅｓ）。
【００４７】
一方、図７の実施形態では、制御部５のＣＰＵは、フォルダは存在するが、そのフォルダにデータを記憶するために十分な空き容量が存在しないか（ステップＳＴ２２２；Ｎｏ）、または、フォルダの中に音楽データが存在するか（ステップＳＴ２２３；Ｙｅｓ）、または、メモリカード３２への記録が許可されていない（ステップＳＴ２２４；Ｎｏ）場合には、記録状態データに基づいてメモリカード３２に記録しないと判定する（ステップＳＴ２２；Ｎｏ）。
【００４８】
図２に示すように、制御部５のＣＰＵは、メモリカード３２へ記録を開始する条件が成立すると判定すると（ステップＳＴ２；Ｙｅｓ）、ＣＤユニット２１のＣＤトレイ２２をオープンする（ステップＳＴ３）。
【００４９】
一方、制御部５のＣＰＵは、メモリカード３２への記録を開始する条件が成立しないと判定すると（ステップＳＴ２；Ｎｏ）、メモリカード３２への記録を中止し、例えば、表示部４２にメモリカード３２に記録されているデータの内容を表示し、ステップＳＴ１に戻る。
記録装置１がこの状態にあるとき、利用者は、入力部４１から操作し、メモリカード３２に記録されているデータを削除する等、ステップＳＴ２においてメモリカード３２への記録を開始するための記録開始条件が成立するように設定することができる。この設定を行った後、ＣＤ２３に記録されている音楽データをメモリカード３２に転送することを指示する転送キーを押下することにより、メモリカード３２に音楽データを記録することができる。
【００５０】
図２のステップＳＴ４は、データ読込手段の実現する処理の内容を示す。
【００５１】
ＣＤユニット２１にＣＤ２３が装着され、オープン／クローズキー等の操作キーが押下されると、制御部５のＣＰＵは、ＣＤユニット２１のＣＤトレイ２２を閉め、操作キーに応じてＣＤ２３から音楽データを読み込む（ステップＳＴ４）。
【００５２】
図８と図９は、ステップＳＴ４の２通りの実施形態を示す。
【００５３】
一つの実施形態では、図８に示すように、制御部５のＣＰＵは、入力部４１でオープン／クローズキー、ＣＤプレイキーまたは数字キーが押下されるのを待つ（ステップＳＴ４１；Ｎｏ、ステップＳＴ４２；ＮＯ、ステップＳＴ４３；Ｎｏ）。
【００５４】
オープン／クローズキーの押下（ステップＳＴ４１；Ｙｅｓ）は、ＣＤ２３がＣＤトレイ２２に装着され、ＣＤトレイ２２を閉める操作が指示されたことを意味する。この場合、制御部５のＣＰＵは、ＣＤユニット２１のＣＤトレイ２２を閉める（ステップＳＴ４４）。そして、制御部５のＣＰＵは、曲数や演奏時間等のＣＤ２３の内容を記録した部分であるＴＯＣ（Ｔａｂｌｅ  ｏｆ  Ｃｏｎｔｅｎｔｓ）をＣＤ２３から読み込み（ステップＳＴ４５−１）、メモリカード３２への録音を開始させることを意味する録音キーが押下されるのを待つ（ステップＳＴ４６；Ｎｏ）。
録音キーが押下されると（ステップＳＴ４６；Ｙｅｓ）、制御部５のＣＰＵは、ＣＤ２３に記録されている全曲の音楽データを読み込む（ステップＳＴ４７−１）。
【００５５】
ＣＤプレイキーの押下（ステップＳＴ４２；Ｙｅｓ）は、ＣＤ２３がＣＤトレイ２２に装着され、ＣＤ２３を再生する操作が指示されたことを意味する。この場合、制御部５のＣＰＵは、ＣＤユニット２１のＣＤトレイ２２を閉め（ステップＳＴ４４）、ＣＤ２３からＴＯＣを読み込み、先頭の曲の読込準備をして（ステップＳＴ４５−２）録音キーが押下されるのを待つ（ステップＳＴ４６；Ｎｏ）。なお、先頭の曲の読込準備とは、例えば、先頭の曲の音楽データが記録されているトラックに光ピックアップを移動させることである。
録音キーが押下されると（ステップＳＴ４６；Ｙｅｓ）、制御部５のＣＰＵは、ＣＤ２３に記録されている先頭の曲の音楽データを読み込む（ステップＳＴ４７−２）。
【００５６】
数字キーの押下（ステップＳＴ４３；Ｙｅｓ）は、ＣＤ２３がＣＤトレイ２２に装着され、ＣＤ２３の選択された曲を再生する操作が指示されたことを意味する。この場合、制御部５のＣＰＵは、ＣＤユニット２１のＣＤトレイ２２を閉め（ステップＳＴ４４）、ＣＤ２３からＴＯＣを読み込み、数字キーに対応する曲の読込準備をして（ステップＳＴ４５−３）録音キーが押下されるのを待つ（ステップＳＴ４６；Ｎｏ）。なお、数字キーに対応する曲の読込準備とは、例えば、数字キーに対応する曲の音楽データが記録されているトラックに光ピックアップを移動させることである。
録音キーが押下されると（ステップＳＴ４６；Ｙｅｓ）、制御部５のＣＰＵは、ＣＤユニット２１にＣＤ２３に記録されている数字キーに対応した曲の音楽データを読み込む（ステップＳＴ４７−３）。
【００５７】
図９に示す別の実施形態でも、制御部５のＣＰＵは、入力部４１でオープン／クローズキー、ＣＤプレイキーまたは数字キーが押下されるのを待つ（ステップＳＴ４１；Ｎｏ、ステップＳＴ４２；Ｎｏ、ステップＳＴ４３；Ｎｏ）点では図８の実施形態と同様である。
【００５８】
図９の実施形態では、オープン／クローズキー、ＣＤプレイキーまたは数字キーが押下されると（ステップＳＴ４１；Ｙｅｓ、ステップＳＴ４２；Ｙｅｓ、ステップＳＴ４３；Ｙｅｓ）、制御部５のＣＰＵは、ＣＤユニット２１のＣＤトレイ２２を閉め（ステップＳＴ４４）、押下されたキーに応じて、直ちにＣＤ２３に記録されている全曲の音楽データを読み込むか（ステップＳＴ４８−１）、先頭の曲の音楽データを読み込むか（ステップＳＴ４８−２）、または選択された曲の音楽データを読み込む（ステップＳＴ４８−３）。
【００５９】
なお、オープン／クローズキー、ＣＤプレイキーまたは数字キーが押下されたことは、本発明におけるトレイを閉める操作指示情報が入力部に入力されたことの一例である。
【００６０】
音楽データが記録されたメモリカード３２が使用される携帯電話機や携帯型音楽再生装置等の仕様によっては、ＣＤ２３から読み込んだ音楽データの符号化条件とメモリカード３２に記録される音楽データの符号化条件が異なる場合がある。
このため、ＤＳＰ６は、メモリカード３２に音楽データを記録する（ステップＳＴ７）前に、ＣＤ２３から読み込まれる音楽データの符号化条件とメモリカード３２に記録される音楽データの符号化条件が同一であるか否か判定する（ステップＳＴ５）。
【００６１】
符号化条件とは、例えば、ＰＣＭ（Ｐｕｌｓｅ  Ｃｏｄｅ  Ｍｏｄｕｌａｔｉｏｎ）、ＭＰ３（ＭＰＥＧ  Ａｕｄｉｏ  Ｌａｙｅｒ−３）またはＡＡＣ（Ａｄｖａｎｃｅｄ  Ａｕｄｉｏ  Ｃｏｄｉｎｇ）等の符号化規格や符号化ビットレートである。
ＣＤ２３から読み込まれる音楽データの符号化条件は、例えば、音楽データのビットストリームのヘッダを解析することによって知ることができる。
一方、メモリカード３２に記録する音楽データの符号化条件は、例えば制御部５やＤＳＰ６内のメモリに予め記憶させておくか、または入力部４１から操作キーによって入力される。
【００６２】
ＣＤ２３から読み込んだ音楽データの符号化条件とメモリカード３２に記録される音楽データの符号化条件が異なる場合（ステップＳＴ５；Ｎｏ）、ＤＳＰ６は、ＣＤ２３から読み込んだ音楽データを復号し、復号された音楽データをメモリカード３２に記録される音楽データの符号化条件で符号化する（ステップＳＴ６）。
一方、ＣＤ２３から読み込んだ音楽データの符号化条件とメモリカード３２に記録される音楽データの符号化条件が同一である場合（ステップＳＴ５；Ｙｅｓ）、ステップＳＴ６は実行されず、スキップされる。
【００６３】
ステップＳＴ５とステップＳＴ６が実行されることによって、メモリカード３２が使用される携帯電話機や携帯型音楽再生装置等で再生できる音楽データが得られる。メモリカードスロット３１は、この音楽データをメモリカード３２に記録する（ステップＳＴ７）。
ステップＳＴ７が終了すると、制御部５のＣＰＵはステップＳＴ１に戻り、記録装置１は待機状態になる。
【００６４】
なお、ＣＤ２３から音楽データを読み込むステップＳＴ４と、ＣＤ２３から読み込んだ音楽データを復号し、メモリカード３２に記録するために符号化するステップＳＴ６と、メモリカード３２に音楽データを記録するステップＳＴ７は平行して実行しても良い。すなわち、ＣＤ２３からメモリカード３２に記録する全ての音楽データが読み出されるのを待って、ステップＳＴ６とステップＳＴ７の実行を開始するのではなく、ＣＤ２３から音楽データを読み出しながら、平行して音楽データを復号・符号化し、音楽データをメモリカード３２に記録しても良い。
【００６５】
また、ＣＤ２３から読み込んだ音楽データの符号化条件とメモリカード３２に記録される音楽データの符号化条件が同一であることが予め分かっている場合には、ステップＳＴ５とステップＳＴ６は実行せずに、ステップＳＴ４に続けて直ちにステップＳＴ７を実行しても良い。
【００６６】
また、例えば、タイマ録音やタイマ再生のように、予め設定した時刻に所定の動作を行う処理が、入力セレクタ７の入力先としてＣＤユニット２１以外を指定して実行されているとき、入力セレクタ７の入力先がＣＤユニット２１に切り換わると、タイマ録音やタイマ再生の設定が無効となる。
このため、制御部５のＣＰＵは、タイマ録音やタイマ再生の実行をメモリカード３２に録音を開始するか否かを判定する条件（図２のステップＳＴ２）に加えても良い。すなわち、タイマ録音やタイマ再生が実行されているときには、制御部５のＣＰＵは、メモリカード３２が装着されてもＣＤユニット２１にＣＤトレイ２２をオープンさせる処理（図２のステップＳＴ３）を行わず、ステップＳＴ１に戻っても良い（図２のステップＳＴ２；Ｎｏ）。
【００６７】
これまで、音楽データを対象として説明したが、映像データについても本発明を適用することができる。
映像データについては、例えば、ＭＰＥＧ−２、ＭＰＥＧ−４、ＶＣ−１、Ｈ．２６４等の符号化規格が存在する。また、映像を再生する装置によって画面サイズやフレームレートが異なる場合がある。このため、ＤＳＰ６は、符号化規格と画面サイズとフレームレートと符号化ビットレートを変更して符号化できることが望ましい。
【００６８】
また、ディスク媒体は、例えば、ＤＶＤ、ＨＤ−ＤＶＤやブルーレイディスクであっても良い。
【００６９】
記憶媒体は、例えばＵＳＢメモリカード、ＭＤや着脱可能なハードディスクで有っても良い。また、延長ケーブルでＵＳＢコネクタに接続される外付けのハードディスクのように、記憶媒体はケーブルで記録装置１に接続されるものであっても良い。
【００７０】
必ずしも、記録装置１はＤＳＰ６を含まなくても良い。
例えば、制御部５のＣＰＵが、高い処理能力を有しており、音楽データや映像データのような圧縮されたデータを復号し、符号化することが可能である場合、圧縮されたデータの復号と符号化を制御部５のＣＰＵで実行しても良い。
また、映像の符号化・復号のように膨大な演算能力を必要とする処理は専用回路で実現し、ディスク媒体から読み込んだデータの符号化条件と記憶媒体に記録されるデータの符号化条件の同一性の判定を制御部５のＣＰＵで実現しても良い。
【００７１】
以上のように、本発明によれば、制御部５のＣＰＵが記録開始条件が成立すると判定した場合に、制御部５のＣＰＵがＣＤトレイ２２をオープンさせるため、ＣＤトレイ２２をオープンする操作が不要になり、操作手順が簡略化される。
また、ＣＤトレイ２２を閉める操作指示情報またはＣＤ２３からデータの読込を指示する操作指示情報が入力されると、制御部５のＣＰＵがＣＤトレイ２２を閉めるため、ＣＤトレイ２２を閉める操作が不要になり、操作手順が簡略化される。
更に、制御部５のＣＰＵが記録状態データに基づく判定を含めて記録開始条件が成立すると判定した場合にＣＤユニット２１のＣＤトレイ２２が自動的にオープンするため、装着したメモリカード３２が記録可能なものであるか否かが容易に判断できる。
【００７２】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【図面の簡単な説明】
【００７３】
【図１】本発明の実施の形態に係る記録装置の一例を示すブロック図である。
【図２】本発明の実施の形態に係る記録方法の一例を示すフローチャートの図である。
【図３】図２のステップＳＴ１の処理の一例を示すフローチャートの図である。
【図４】図２のステップＳＴ２の処理の一例を示すフローチャートの図である。
【図５】図２のステップＳＴ２の処理の別の例を示すフローチャートの図である。
【図６】図４と図５のステップＳＴ２２の処理の一例を示すフローチャートの図である。
【図７】図４と図５のステップＳＴ２２の処理の別の例を示すフローチャートの図である。
【図８】図２のステップＳＴ４の処理の一例を示すフローチャートの図である。
【図９】図２のステップＳＴ４の処理の別の例を示すフローチャートの図である。
【符号の説明】
【００７４】
１…記録装置
２１…ＣＤユニット
２２…ＣＤトレイ
２３…ＣＤ
３１…メモリカードスロット
３２…メモリカード
４１…入力部
５…制御部
６…ＤＳＰ
７…入力セレクタ
９…ＡＤＣ
【図１】
2009176350.tif 000003
【図２】
2009176350.tif 000004
【図３】
2009176350.tif 000005
【図４】
2009176350.tif 000006
【図５】
2009176350.tif 000007
【図６】
2009176350.tif 000008
【図７】
2009176350.tif 000009
【図８】
2009176350.tif 000010
【図９】
2009176350.tif 000011